(57)【特許請求の範囲】
【請求項１】
複数のインターホン親機（１ａ、１ｂ、・・・）と、前記インターホン親機を制御するための制御機（４）とを有するインターホンシステムであって、
前記インターホン親機は、商用電源（２、２、・・・）を直流電源に整流・平滑するためのＡＣ／ＤＣコンバータ（１０）と、前記直流電源の電圧レベルを監視し、所定の閾値レベル以下となったときに前記商用電源の停電であると検出するための停電検出回路（１１）と、前記ＡＣ／ＤＣコンバータ中でＡＣ回路（１００）を構成するトランスの２次側に接続され交流電圧の波形歪みを検出して前記商用電源の停電を前記停電検出回路の検出タイミングより早く検出するための早期電源異常検出回路（１２）と、前記早期電源異常検出回路にて前記商用電源の異常が検出されたとき、電源異常通知データを生成して前記制御機に送出するための親機ＣＰＵ（１４）とを備え、
前記制御機は、前記インターホン親機の親機ＣＰＵからの前記電源異常通知データの受信の有無に対応して前記商用電源の停電状態又は通電状態を監視するための制御機ＣＰＵ（４０）を備えることを特徴とするインターホンシステム。
【請求項２】
前記インターホン親機の親機ＣＰＵは、前記停電検出回路にて前記商用電源の停電状態が検出された場合、前記制御機への前記電源異常通知データの送出動作を停止する機能を備えることを特徴とする請求項１記載のインターホンシステム。
【請求項３】
前記制御機の制御機ＣＰＵは、前記インターホン親機の親機ＣＰＵから伝送されてくる前記電源異常通知データを受信して所定の第１の時間（Ｔ1）の計時を開始し、前記第１の時間のタイムアップ後において前記商用電源が前記停電状態又は通電状態あるかを確認するための電源状態確認データを生成して前記インターホン親機に送出する機能を備え、
前記インターホン親機の親機ＣＰＵは、前記制御機の制御機ＣＰＵから伝送されてくる前記電源状態確認データを受信したとき、前記早期電源異常検出回路にて前記商用電源の異常が検出されない場合や前記停電検出回路にて前記商用電源の停電を検出していない場合、前記異常が復旧したことの通電通知データを生成して前記制御機に送出する機能を備えることを特徴とする請求項１又は請求項２記載のインターホンシステム。
【請求項４】
前記インターホン親機の親機ＣＰＵは、前記電源異常通知データを送出したタイミングで所定の第２の時間（Ｔ2）の計時を開始し、前記第２の時間のタイムアップ後において前記早期電源異常検出回路にて前記商用電源の異常が検出されない場合や前記停電検出回路にて前記商用電源の停電を検出していない場合、前記異常が復旧したことの通電通知データを生成して前記制御機に送出する機能を備えることを特徴とする請求項１又は請求項２記載のインターホンシステム。
【請求項５】
前記第１、第２の時間は、前記インターホン親機の動作が前記商用電源の停電によって確実に停止するまでの時間であることを特徴とする請求項３又は請求項４記載のインターホンシステム。
【請求項６】
前記インターホン親機は、前記商用電源の停電時における非常電源（３、３、・・・）の電源供給路を形成するための電源切換回路（１３）を備え、
前記インターホン親機の親機ＣＰＵは、前記電源切換回路を切換えて前記非常電源からの電源供給路が形成されているとき、前記制御機の制御機ＣＰＵから伝送されてくる前記電源状態確認データに無応答とする機能を備えることを特徴とする請求項３記載のインターホンシステム。
【発明の詳細な説明】
【技術分野】
【０００１】
本発明は、インターホンシステムに係り、特に、インターホン親機における商用電源の停電状態又は通電状態を制御機にて監視／確認するインターホンシステムに関する。
【背景技術】
【０００２】
従来から、複数の居室インターホン親機、集合玄関機、管理室親機及び制御機から成る集合住宅インターホン装置の接続診断を行うための集合住宅インターホン方式が知れている（例えば、特許文献１を参照。）。
【０００３】
この集合住宅インターホン方式によれば、管理室親機の操作部で接続診断の検出を行うための操作や定期診断タイマの制御により制御機の制御部から複数の居室インターホン親機、集合玄関機及び管理室親機の各制御部に対して接続診断を行うための診断コマンドが順次送信される。接続状態に異常がない場合には複数の居室インターホン親機、集合玄関機及び管理室親機の各制御部は診断受付コマンドを送信するので、制御機の制御部で接続状態の検出を行うことができる。
【０００４】
また、従来から、住戸内の停電により商用電源から居室親機への電源供給が停止した場合、非常用電源に切り替わって居室親機に電源が供給される集合住宅インターホンシステムとして、住戸内停電が発生した場合、居室親機に接続されている火災センサ等の重要なセンサの検知動作が停止しないように、管理室等の共用部に設置した非常用電源（直流電源装置）から停電した居室親機に電力を供給し、最低限の保安機器の動作を確保するよう構成された集合住宅インターホンシステムが知られている（例えば、特許文献２を参照。）。
【０００５】
この集合住宅インターホンシステムによれば、停電が発生しても居室親機に接続されている火災センサやガスセンサ等の重要なセンサには非常用電源から電源が供給され、火災発生等の異常を検知した際には居室親機が警報信号を出して管理室等の外部でも異常発生を報知することができる。
【先行技術文献】
【特許文献】
【０００６】
【特許文献１】特開平１１−２８４７５１号公報
【特許文献２】特開２００５−１１７４７０号公報
【発明の概要】
【発明が解決しようとする課題】
【０００７】
特許文献１に記載された集合住宅インターホン方式によれば、制御機の制御部から複数の居室インターホン親機に対して接続診断を行うことができるものの、その接続状態に異常が発生し、例えば、居室親機インターホン親機への電力供給が遮断された停電状態の場合には、診断受付コマンドが（正常に）送信されず、制御機にて状態確認できない虞があった。
【０００８】
また、特許文献２に記載された集合住宅インターホンシステムによれば、住戸内の停電により商用電源から居室親機への電力供給が停止した場合、非常用電源に切り替わって居室親機に電力供給され、火災センサやガスセンサ等の重要なセンサの動作電源となるものの、居室親機の電源が商用電源から非常電源に切り替わった停電状態である旨を制御機に通知する（例えば、特開２００８−７９１０６号公報に記載の集合住宅インターホンシステムを参照。）にあたっては、非常用電源が動作電源として必要となり、その消費電力が大きくなる難点があった。
【０００９】
本発明は、これらの難点を解消するためになされたもので、インターホン親機の動作が商用電源の停電によって確実に停止する前において、商用電源の異常を早期に検出して制御機に通知することができるインターホンシステムを提供することを目的としている。
【課題を解決するための手段】
【００１０】
前述の目的を達成するため、本発明の第１の態様であるインターホンシステムは、複数のインターホン親機と、インターホン親機を制御するための制御機とを有する当該システムである。インターホン親機は、商用電源を直流電源に整流・平滑するためのＡＣ／ＤＣコンバータと、直流電源の電圧レベルを監視し、所定の閾値レベル未満となったときに商用電源の停電であると検出するための停電検出回路と、ＡＣ／ＤＣコンバータ中でＡＣ回路を構成するトランスの２次側に接続され交流電圧の波形歪みを検出して商用電源の停電を停電検出回路の検出タイミングより早く検出するための早期電源異常検出回路と、早期電源異常検出回路にて商用電源の異常が検出されたとき、電源異常通知データを生成して制御機に送出するための親機ＣＰＵとを備えている。制御機は、インターホン親機の親機ＣＰＵからの電源異常通知データの受信の有無に対応して商用電源の停電状態又は通電状態を監視するための制御機ＣＰＵを備えている。
【００１１】
また、本発明の第２の態様であるインターホンシステムは、本発明の第１の態様において、インターホン親機の親機ＣＰＵは、停電検出回路にて商用電源の停電状態が検出された場合、制御機への電源異常通知データの送出動作を停止する機能を備えている。
【００１２】
また、本発明の第３の態様であるインターホンシステムは、本発明の第１の態様又は第２の態様において、制御機の制御機ＣＰＵは、インターホン親機の親機ＣＰＵから伝送されてくる電源異常通知データを受信して所定の第１の時間の計時を開始し、第１の時間のタイムアップ後において商用電源が停電状態又は通電状態あるかを確認するための電源状態確認データを生成してインターホン親機に送出する機能を備えている。インターホン親機の親機ＣＰＵは、制御機の制御機ＣＰＵから伝送されてくる電源状態確認データを受信したとき、早期電源異常検出回路にて商用電源の異常が検出されない場合や停電検出回路にて商用電源の停電を検出していない場合、異常が復旧したことの通電通知データを生成して制御機に送出する機能を備えている。
【００１３】
また、本発明の第４の態様であるインターホンシステムは、本発明の第１の態様又は第２の態様において、インターホン親機の親機ＣＰＵは、電源異常通知データを送出したタイミングで所定の第２の時間の計時を開始し、第２の時間のタイムアップ後において早期電源異常検出回路にて商用電源の異常が検出されない場合や停電検出回路にて商用電源の停電を検出していない場合、異常が復旧したことの通電通知データを生成して制御機に送出する機能を備えている。
【００１４】
また、本発明の第５の態様であるインターホンシステムは、本発明の第３の態様又は第４の態様において、第１、第２の時間は、インターホン親機の動作が商用電源の停電によって確実に停止するまでの時間であるものである。
【００１５】
また、本発明の第６の態様であるインターホンシステムは、本発明の第３の態様において、インターホン親機は、商用電源の停電時における非常電源の電源供給路を形成するための電源切換回路を備えている。インターホン親機の親機ＣＰＵは、電源切換回路を切換えて非常電源からの電源供給路が形成されているとき、制御機の制御機ＣＰＵから伝送されてくる電源状態確認データに無応答とする機能を備えている。
【発明の効果】
【００１６】
本発明のインターホンシステムによれば、インターホン親機に電力供給を行う商用電源の停電を検出する停電検出回路の検出タイミングと比較して、商用電源の異常を早期電源異常検出回路にて早期なタイミングで検出し、親機ＣＰＵから制御機の制御機ＣＰＵへ通知することができ、この制御機ＣＰＵは、通電状態へと復旧し停電検出回路にて検出される直流電源の電圧レベルが閾値レベル以上に復旧されるように商用電源の異常が復旧した旨の通電状態や、停電検出回路にて検出される直流電源の電圧レベルが依然として閾値レベル未満のままである商用電源の停電状態を確認することができ、このような確認時において非常電源の消費が不要とされ省電力化も可能となる。
【図面の簡単な説明】
【００１７】
【図１】図１は、本発明の実施例によるインターホンシステムの具体的な構成を示す回路ブロック図である。
【図２】図２は、本発明の実施例によるインターホンシステムを構成するインターホン親機の動作を示すタイムチャート図である。
【図３】図３は、本発明の実施例によるインターホンシステムにおいて、第１の動作を示すフローチャート図である。
【図４】図４は、本発明の実施例によるインターホンシステムにおいて、第２の動作を示すフローチャート図である。
【発明を実施するための形態】
【００１８】
以下、本発明のインターホンシステムを適用した最良の実施の形態例について、図面を参照して説明する。
【００１９】
図１は、本発明の実施例によるインターホンシステムの具体的な構成を示す回路ブロックズである。このインターホンシステムは、例えば、集合住宅の各住戸内に設置される複数のインターホン親機１ａ、１ｂ、・・・と、インターホン親機１ａ、１ｂ、・・・の主電源（メイン電源）である例えば、ＡＣ１００Ｖの商用電源２、２、・・・と、商用電源２、２、・・・の停電時（や異常発生時）において後述するセンサ５ａ、５ｂ、・・・の動作電源となる例えば、蓄電池設備等の非常電源３、３、・・・と、親機／制御機ラインＬを経由して接続されるインターホン親機１ａ、１ｂ、・・・を制御するための制御機４とを有している。
【００２０】
なお、複数のインターホン親機１ａ、１ｂ、・・・を集合住宅の各住戸内に設置するにあたって、このインターホン親機１ａ、１ｂ、・・・には、例えば、火災、ガス漏れ等のセキュリティ異常を検知するためのセンサ５ａ、５ｂ、・・・や住戸玄関に設置されるインターホン子機６ａ、６ｂ・・・を接続することができ、これらの接続機器５ａ、５ｂ、・・・、６ａ、６ｂ、・・・は、通常、インターホン親機１ａ、１ｂ、・・・からの電力供給により駆動されるものである。
【００２１】
次に、複数のインターホン親機１ａ、１ｂ、・・・の構成を説明するにあたり、このインターホン親機１ａ、１ｂ、・・・はそれぞれ同様な構成であって、ＡＣ／ＤＣコンバータ１０、停電検出回路１１、早期電源異常検出回路１２、電源切換回路１３、親機ＣＰＵ１４及び親機インターフェース（以下、同様のインターフェースについては「Ｉ／Ｆ」という。）１５が備えられている。
【００２２】
このインターホン親機１ａ、１ｂ、・・・において、ＡＣ／ＤＣコンバータ１０は、商用電源２、２、・・・の電圧の高さを、電磁誘導を利用してインピーダンス変換する、例えば、変圧トランス又はスイッチングトランスにて構成されるＡＣ回路１００と、ＡＣ回路１００を経由した商用電源２、２、・・・を整流・平滑して直流電源を生成するための整流・平滑回路１０１とが備えられている。
【００２３】
停電検出回路１１は、ＡＣ／ＤＣコンバータ１０の整流・平滑回路１０１からの出力である直流電源の電圧レベルを監視し、所定の閾値レベル未満となったときに商用電源２、２、・・・の停電（停電状態）であると検出するためのものである。
【００２４】
早期電源異常検出回路１２は、ＡＣ／ＤＣコンバータ１０のＡＣ回路１００（の２次側）に接続され、商用電源２、２、・・・の交流電圧の波形歪みをもとに当該電源の異常を、停電検出回路１１にて停電が検出されるタイミングより早期に検出するためのものである。
【００２５】
電源切換回路１３は、親機ＣＰＵ１４の制御により切換えられ、非常電源３、３、・・・からの電力供給路を形成するためのものである。
【００２６】
親機ＣＰＵ１４は、計時機能としてのタイマ１４０が備えられ、当該インターホン親機の構成各部を制御するためのものであり、例えば、早期電源異常検出回路１２にて商用電源２、２、・・・の異常が検出されたとき、後述する電源異常通知データを生成して制御機４に送出するための機能や停電検出回路１１にて商用電源２、２、・・・の停電（停電状態）が検出された場合、制御機４への電源異常通知データの送出動作を停止する機能等を備えている。なお、タイマ１４０は、親機ＣＰＵ１４に備えられる態様に限定されるものではなく、図中、破線で示すように、親機ＣＰＵ１４に接続される構成部として設けることもできる。
【００２７】
親機Ｉ／Ｆ１５は、親機ＣＰＵ１４及び親機／制御機ラインＬ間の信号伝送路、親機ＣＰＵ１４及びセンサ５ａ、５ｂ、・・・間の信号伝送路／電力供給路、親機ＣＰＵ１４及びインターホン子機６ａ、６ｂ、・・・間の信号伝送路／電力供給路をそれぞれ形成するためのものである。なお、親機Ｉ／Ｆ１５は、図示のような単一の構成に限定されるものではく、前述の信号伝送路（／電力供給路）毎に個別の当該Ｉ／Ｆとして設けることもできる。
【００２８】
次に、制御機４の構成を説明するにあたり、この制御機４は、制御機ＣＰＵ４０、制御機Ｉ／Ｆ４１が備えられている。
【００２９】
この制御機４において、制御機ＣＰＵ４０は、計時機能としてのタイマ４００が備えられ、インターホン親機１ａ、１ｂ、・・・の親機ＣＰＵ１４からの電源異常通知データの受信の有無に対応して商用電源２、２、・・・の停電状態又は通電状態を監視するための各種制御を行うものである。なお、タイマ４００は、制御機ＣＰＵ４０に備えられる態様に限定されるものではなく、図中、破線で示すように、制御機ＣＰＵ４０に接続される構成部として設けることもできる。
【００３０】
制御機Ｉ／Ｆ４１は、制御機ＣＰＵ４０及び親機／制御機ラインＬ間の信号伝送路を形成するためのものである。
【００３１】
このように構成された本発明の実施例によるインターホンシステムにおいて、以下、具体的な動作（第１、第２の動作）について、図２のタイムチャート図及び図３、図４のフローチャート図を参照して説明する。
【００３２】
本発明の実施例における第１、第２の動作によれば、その前提として、複数のインターホン親機１ａ、１ｂ、・・・の親機ＣＰＵ１４は、商用電源２、２、・・・からの通電時において、通常、電源切換回路１３をオフ状態に切換えており、非常電源３、３、・・・からの電力供給路を遮断している。
【００３３】
また、商用電源２、２、・・・から複数のインターホン親機１ａ、１ｂ、・・・への通電時において、ＡＣ／ＤＣコンバータ１０の整流・平滑回路１０１は、ＡＣ回路１００を介し、商用電源２、２、・・・の電圧の高さが電磁誘導を利用してインピーダンス変換される交流電圧を整流・平滑して直流電源を生成し、当該インターホン親機の構成各部に電力供給しており、この直流電源の電圧レベルは、停電検出回路１１にて監視されることになる。
【００３４】
次に、本発明の実施例における第１の動作について説明するにあたり、複数のインターホン親機１ａ、１ｂ、・・・のうち、例えば、インターホン親機１ａに電力供給を行う商用電源２が、図２に示すように停電（停電状態）になると、このインターホン親機１ａの早期電源異常検出回路１２は、ＡＣ／ＤＣコンバータ１０のＡＣ回路１００を介して交流電圧に発生する波形歪みをもとに当該商用電源の異常を検出し、その旨の電源異常データＳ1を生成して親機ＣＰＵ１４に送出する（ステップＳＴ1、ＳＴ2）。
【００３５】
また、前述のような電源異常が発生すると、（インターホン親機１ａの）ＡＣ／ＤＣコンバータ１０の整流・平滑回路１０１からの出力である直流電源の電圧レベルは、図２に示すように、時間の経過とともに降下（電圧降下）するため、停電検出回路１１は、インターホン親機１ａの動作電源となる直流電源の電圧レベルが、所定の電圧レベル未満となったとき、商用電源２が通電状態から停電状態に移行したことを検出し、その旨の停電検出データＳ2を生成して親機ＣＰＵ１４に送出する。なお、親機ＣＰＵ１４は、停電検出回路１２からの停電検出データＳ2を受信したタイミングで電源切換回路１３を切換え、非常電源３からの電力供給路を形成することにより、非常電源３からの電力供給を、例えば、センサ５ａの動作電源として確保することもできる。
【００３６】
ここで、インターホン親機１ａの親機ＣＰＵ１４は、早期電源異常検出回路１２からの電源異常データＳ1を受信したタイミングで商用電源２の異常であると検出し、その旨の電源異常通知データＳ10を生成し、図２に示すように、停電検出回路１２からの停電検出データＳ2が受信されるまでの間継続して送出する（ステップＳＴ3）。この電源異常通知データＳ10は、親機ＣＰＵ１４から親機Ｉ／Ｆ１５、親機／制御機ラインＬ、制御機４の制御機Ｉ／Ｆ４１を経由して制御機ＣＰＵ４０に伝送される。
【００３７】
ここまでの動作により、商用電源２に異常が発生した場合であっても、インターホン親機１ａの動作電源となる直流電源の電圧レベルが所定の電圧レベル未満となるまでの間、電源異常通知データＳ10の生成・送出動作に異常が発生せず、制御機４の制御機ＣＰＵ４０へのデータ伝送を正常かつ確実に行うことができる。
【００３８】
制御機４の制御機ＣＰＵ４０は、インターホン親機１ａの親機ＣＰＵ１４からの電源異常通知データＳ10を受信すると、タイマ４００の計時機能が能動となり所定の第１の時間Ｔ1である例えば、インターホン親機１ａの動作が停電によって確実に停止する時間とされる５秒の計時を開始する（ステップＳＴ4、ＳＴ5）。この計時がタイムアップになると、制御機ＣＰＵ４０は、インターホン親機１ａに電力供給を行う商用電源２が停電状態又は停電状態であるかを確認するための電源状態確認データＳ20を生成し、前述の電源異常通知データＳ10と逆の経路を介してインターホン親機１ａの親機ＣＰＵ１４に送出する（ステップＳＴ5、ＳＴ6）。
【００３９】
インターホン親機１ａの親機ＣＰＵ１４は、制御機４の制御機ＣＰＵ４０からの電源状態確認データＳ20を受信したとき（ステップＳＴ7）、早期電源異常検出回路１２からの電源異常データＳ1の受信の有無を確認する。ここで、商用電源２の停電状態が一時的であり、インターホン親機１ａの動作が停電によって確実に停止する前に通電状態へと復旧し、停電検出回路１１にて検出される直流電源の電圧レベルが閾値レベル以上に復旧されるように、早期電源異常検出回路１２からの電源異常データＳ1及び停電検出回路１１からの停電検出データＳ2がそれぞれ受信されていないと、これを検出した親機ＣＰＵ１４は、商用電源２の異常が復旧した旨の通電通知データＳ11を生成し、前述の電源異常通知データＳ10と同一の経路を介して制御機４の制御機ＣＰＵ４０に送出する（ステップＳＴ8、ＳＴ9）。一方、商用電源２の停電状態が継続しており、停電検出回路１１にて検出される直流電源の電圧レベルが依然として閾値レベル未満のままであるように、早期電源異常検出回路１２からの電源異常データＳ1及び停電検出回路１１からの停電検出データＳ2がそれぞれ受信されていると、これを検出した親機ＣＰＵ１４は、制御機４の制御機ＣＰＵ４０からの電源状態確認データＳ20に応答することはなく、又はインターホン親機１ａの動作が停止して応答できないため、前述のような通電通知データＳ11の生成、及びその送出動作は行われない（ステップＳＴ8）。
【００４０】
なお、インターホン親機１ａの親機ＣＰＵ１４によれば、非常電源３からの電力供給路が形成されているとき、商用電源２の停電状態が継続している場合であっても、制御機４の制御機ＣＰＵ４０からの電源状態確認データＳ20を受信できることがあるものの、この状態では依然として、停電検出回路１１にて検出される直流電源の電圧レベルが閾値レベル未満であるため、前述のような通電通知データＳ11の生成、及びその送出動作は行われない。
【００４１】
制御機４の制御機ＣＰＵ４０は、インターホン親機１ａの親機ＣＰＵ１４からの通電通知データＳ11を受信すると、インターホン親機１ａに電力供給を行う商用電源２の異常が復旧して通電状態であると確認することができる（ステップＳＴ10、ＳＴ11、ＳＴ13）。一方、この通電通知データＳ11が受信されない場合には、商用電源２が（依然として）停電状態であると確認することができ、例えば、非常電源３からインターホン親機１ａへの電力供給路が形成されているとき、早期電源異常検出回路１２にて商用電源２の停電事由とは異なる異常を検出した場合であっても、確実な停電状態を確認することができる（ステップＳＴ12、ＳＴ13）。
【００４２】
次に、本発明の実施例における第２の動作について説明するにあたり、複数のインターホン親機１ａ、１ｂ、・・・のうち、前述の第１の動作と同様、インターホン親機１ａに電力供給を行う商用電源２が、図２に示すように停電（停電状態）になると、このインターホン親機１ａの早期電源異常検出回路１２は、ＡＣ／ＤＣコンバータ１０のＡＣ回路１００を介して交流電圧に発生する波形歪みをもとに当該商用電源の異常を検出し、その旨の電源異常データＳ1を生成して親機ＣＰＵ１４に送出する（ステップＳＴ51、ＳＴ52）。
【００４３】
また、前述のような電源異常が発生すると、（インターホン親機１ａの）ＡＣ／ＤＣコンバータ１０の整流・平滑回路１０１からの出力である直流電源の電圧レベルは、図２に示すように、時間の経過とともに降下（電圧降下）するため、停電検出回路１１は、インターホン親機１ａの動作電源となる直流電源の電圧レベルが、所定の電圧レベル未満となったとき、商用電源２が通電状態から停電状態に移行したことを検出し、その旨の停電検出データＳ2を生成して親機ＣＰＵ１４に送出する。なお、親機ＣＰＵ１４は、停電検出回路１２からの停電検出データＳ2を受信したタイミングで電源切換回路１３を切換え、非常電源３からの電力供給路を形成することにより、非常電源３からの電力供給を、例えば、センサ５ａの動作電源として確保することもできる。
【００４４】
ここで、インターホン親機１ａの親機ＣＰＵ１４は、早期電源異常検出回路１２からの電源異常データＳ1を受信したタイミングで商用電源２の異常であると検出し、その旨の電源異常通知データＳ10を生成し、停電検出回路１２からの停電検出データＳ2が受信されるまでの間継続して送出する（ステップＳＴ53）。この電源異常通知データＳ10は、前述の第１の動作と同様な経路を介して親機ＣＰＵ１４から制御機４の制御機ＣＰＵ４０に伝送される。
【００４５】
ここまでの動作により、商用電源２に異常が発生した場合であっても、インターホン親機１ａの動作電源となる直流電源の電圧レベルが所定の電圧レベル未満となるまでの間、電源異常通知データＳ10の生成・送出動作に異常が発生せず、制御機４の制御機ＣＰＵ４０へのデータ伝送を正常かつ確実に行うことができる。
【００４６】
また、インターホン親機１ａの親機ＣＰＵ１４は、早期電源異常検出回路１２からの電源異常データＳ1を受信したタイミングでタイマ１４０の計時機能が能動となり、所定の第２の時間Ｔ2である例えば、インターホン親機１ａの動作が停電によって確実に停止する時間とされる５秒の計時を開始する（ステップＳＴ54）。この計時がタイムアップになると、親機ＣＰＵ１４は、早期電源異常検出回路１２からの電源異常データＳ1の受信の有無及び停電検出回路１１からの停電検出データＳ2の受信の有無をそれぞれ確認する。ここで、商用電源２の停電状態が一時的であり、インターホン親機１ａの動作が停電によって確実に停止する前に通電状態へと復旧し、停電検出回路１１にて検出される直流電源の電圧レベルが閾値レベル以上に復旧されるように、早期電源異常検出回路１２からの電源異常データＳ1及び停電検出回路１１からの停電検出データＳ2がそれぞれ受信されていないと、これを検出した親機ＣＰＵ１４は、商用電源２の異常が復旧した旨の通電通知データＳ11を生成し、前述の電源異常通知データＳ10と同一の経路を介して制御機４の制御機ＣＰＵ４０に送出する（ステップＳＴ55、ＳＴ56）。一方、商用電源２の停電状態が継続しており、停電検出回路１１にて検出される直流電源の電圧レベルが依然として閾値レベル未満のままであるように、早期電源異常検出回路１２からの電源異常データＳ1が受信されていると、これを検出した親機ＣＰＵ１４では、前述のような通電通知データＳ11の生成、及びその送出動作は行われない（ステップＳＴ55）。
【００４７】
制御機４の制御機ＣＰＵ４０は、インターホン親機１ａの親機ＣＰＵ１４からの電源異常通知データＳ10を受信すると、タイマ４００の計時機能が能動となり所定の第３の時間Ｔ3である例えば、６秒の計時を開始し（ステップＳＴ57、ＳＴ58）、この第３の時間Ｔ3内においてインターホン親機１ａの親機ＣＰＵ１４からの通電通知データＳ11の受信の有無を確認する（ステップＳＴ59）。ここで、制御機ＣＰＵ４０は、前述の第３の時間Ｔ3内においてインターホン親機１ａの親機ＣＰＵ１４からの通電通知データＳ11を受信すると、インターホン親機１ａに電力供給を行う商用電源２の異常が復旧して通電状態であると確認することができる（ステップＳＴ59、ＳＴ60、ＳＴ62）。一方、前述の第３の時間Ｔ3内において通電通知データＳ11が受信されない場合には、商用電源２が（依然として）停電状態であると確認することができ、例えば、非常電源３、３、・・・からインターホン親機１ａ、１ｂ、・・・への電力供給路が形成されているとき、早期電源異常検出回路１２にて商用電源２の停電事由とは異なる異常を検出した場合であっても、確実な停電状態を確認することができる（ステップＳＴ59、ＳＴ60、ＳＴ62）。
【００４８】
前述までの説明から明らかなように、本発明の第１、第２の動作によれば、インターホン親機１ａ、１ｂ、・・・に電力供給を行う商用電源２、２、・・・の停電を検出する停電検出回路１１の検出タイミングと比較して、商用電源２、２、・・・の異常を早期電源異常検出回路１２にて早期なタイミングで検出し、親機ＣＰＵ１４から制御機４の制御機ＣＰＵ４０へ通知することができ、この制御機ＣＰＵ４０は、通電状態へと復旧し停電検出回路１１にて検出される直流電源の電圧レベルが閾値レベル以上に復旧されるように商用電源２、２、・・・の異常が復旧した旨の通電状態や、停電検出回路１１にて検出される直流電源の電圧レベルが依然として閾値レベル未満のままである商用電源２、２、・・・の停電状態を確認することができ、このような確認時において非常電源３、３、・・・の消費が不要とされ省電力化も可能となる。
【００４９】
なお、本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【符号の説明】
【００５０】
１ａ、１ｂ、・・・ ……複数のインターホン親機
１０……ＡＣ／ＤＣコンバータ
１００……ＡＣ回路
１０１……整流・平滑回路
１１……停電検出回路
１２……早期電源異常検出回路
１３……電源切換回路
１４……親機ＣＰＵ
２、２、・・・ ……商用電源
３、３、・・・ ……非常電源
４……制御機
４０……制御機ＣＰＵ
Ｔ1、Ｔ2……第１、第２の時間
【図１】
0005558266.tif 000002
【図２】
0005558266.tif 000003
【図３】
0005558266.tif 000004
【図４】
0005558266.tif 000005